(57)【要約】【課題】ドアを閉じるための力を調節することができるフロアクローザを提供する。【解決手段】フロアクローザは、本体、ピストン、弾性部材、力調節アセンブリ、エンドキャップ及びテールキャップを含む。本体は収容キャビティ及び第１の収容穴を有し、ピストン及び弾性部材は収容キャビティに収容され、弾性部材の一端はピストンに当接し、力調節アセンブリは調節ナット、ベベルギア、調節軸及び力調節ロッドを含む。調節ナット、ベベルギア及び調節軸は収容キャビティに収容され、調節ナットの一端はピストンとは反対側の弾性部材の他端に当接し、ベベルギアは調節ナットの他端に当接し、調節軸の一端はベベルギア及び調節ナットに挿入される。力調節ロッドの一端は第１の収容穴に挿入されてベベルギアに寄りかかり、他端は第１の収容穴を介して本体の外へ延出する。エンドキャップ及びテールキャップは収容キャビティの２つの開放端部をそれぞれ封止する。【選択図】図１
2015180799.tif 000002
【特許請求の範囲】
【請求項１】
収容キャビティ及び第１の収容穴を有する本体であって、前記収容キャビティが２つの開放端部を有し、前記第１の収容穴が前記収容キャビティに連通している、本体と、
前記収容キャビティに収容されたピストンと、
前記収容キャビティに収容され、一端が前記ピストンに当接している弾性部材と、
調節ナット、ベベルギア、調節軸及び力調節ロッドを備える力調節アセンブリであって、前記調節ナット、前記ベベルギア及び前記調節軸が前記収容キャビティに収容され、前記調節ナットの一端が前記ピストンとは反対側の前記弾性部材の他端に当接し、前記ベベルギアが前記弾性部材とは反対側の前記調節ナットの他端に当接し、前記調節軸の一端が前記ベベルギア及び前記調節ナットに挿入され、前記力調節ロッドの一端が前記第１の収容穴に挿入されて前記ベベルギアに寄りかかり、前記力調節ロッドの他端が前記第１の収容穴を介して前記本体の外へ延出している、力調節アセンブリと、
前記収容キャビティの前記２つの開放端部をそれぞれ封止するように構成されたエンドキャップ及びテールキャップであって、前記弾性部材とは反対側の前記ピストンの一端が前記テールキャップに当接し、前記調節軸の他端が前記エンドキャップに当接している、エンドキャップ及びテールキャップと、
を備える、フロアクローザ。
【請求項２】
カム軸及びローラアセンブリを更に備え、前記本体が第２の収容穴を更に有し、前記ピストンの中央部に第１の貫通孔、第２の貫通孔及び第３の貫通孔が形成され、前記第１の貫通孔が前記第２の貫通孔に連通し、前記ローラアセンブリの一端が前記第１の貫通孔に収容され、前記ローラアセンブリの他端が前記第２の貫通孔に収容され、前記カム軸が前記第３の貫通孔に挿入され、前記カム軸の一端が前記第２の収容穴を介して前記本体の外へ延出し、前記ローラアセンブリの中央部が前記カム軸に当接している、請求項１に記載のフロアクローザ。
【請求項３】
前記カム軸の２つの端部に嵌められた第１の軸受及び第２の軸受を更に備え、前記第１の軸受及び前記第２の軸受が深溝の玉軸受であり、前記深溝の玉軸受が各々、外側の環状高さよりも高い内側の環状高さを有する、請求項２に記載のフロアクローザ。
【請求項４】
安全弁を更に備え、前記ピストンの前記端部に第１のピストン穴が形成され、前記安全弁が前記第１のピストン穴に収容されると共に前記テールキャップに寄りかかっている、請求項２に記載のフロアクローザ。
【請求項５】
ベースアセンブリを更に備え、前記ベースアセンブリが、設置ベース、接続軸及びストップカバーを備え、前記設置ベースが外部の支持体に設置され、前記設置ベースがベース収容溝部を有し、前記接続軸が前記ベース収容溝部に収容され、前記ストップカバーが前記設置ベース上に配置されて前記接続軸を覆い、前記接続軸の中央部に角軸収容溝部が形成され、前記本体の外へ延出している前記カム軸の前記端部が前記角軸収容溝部に収容されている、請求項２に記載のフロアクローザ。
【請求項６】
前記設置ベースに、複数の第１の調節穴、複数の第２の調節穴及び複数の第３の調節穴が形成され、前記複数の第１の調節穴が前記接続軸の左右の調節のために複数の締結具と協働して前記接続軸を支持し、前記複数の第２の調節穴が前記設置ベースの上下の調節のために複数の締結具と協働し、前記複数の第３の調節穴が前記接続軸の前後の調節のために複数の締結具と協働して前記接続軸を支持する、請求項５に記載のフロアクローザ。
【請求項７】
前記設置ベース及び前記ストップカバーが円形である、請求項５に記載のフロアクローザ。
【請求項８】
前記本体に配置された閉鎖ドア弁及び速度調節弁を更に備え、前記本体に、オイル通路、第１のオイル穴及び第２のオイル穴が形成され、前記閉鎖ドア弁及び前記速度調節弁の第１の端部が前記本体の内部に位置し、前記閉鎖ドア弁及び前記速度調節弁の第２の端部が前記本体の外へ延出し、前記オイル通路、前記第１のオイル穴及び前記速度調節弁が第１の油圧オイル通路を形成し、前記オイル通路、前記第２のオイル穴及び前記閉鎖ドア弁が第２の油圧オイル通路を形成する、請求項１に記載のフロアクローザ。
【請求項９】
前記本体の外へ延出している前記閉鎖ドア弁及び前記速度調節弁の前記第２の端部が、前記収容キャビティの延出方向に対して垂直である、請求項８に記載のフロアクローザ。
【請求項１０】
第１の外側カバー及び第２の外側カバーを更に備え、前記第１の外側カバー及び前記第２の外側カバーが前記本体の２つの対向側に着脱可能に配置されている、請求項１に記載のフロアクローザ。
【発明の詳細な説明】
【技術分野】
【０００１】
本発明は、フロアクローザに関する。
【背景技術】
【０００２】
ガラスのドアは一般に、フロアクローザ（フロアばねとして既知である）を用いる。前もってセメントボックスを埋め込んでおく必要がある。これは労力を増し、作業の進行に影響を及ぼす。改良されたフロアクローザに、ピストンタイプのフロアクローザがある。フロアばねと比べて、ピストンタイプのフロアクローザでは、前もってセメントボックスを埋め込んでおく必要がない。これは便利に用いられる。
【０００３】
しかしながら、このピストンタイプのフロアクローザは、ドアを閉じるために定常力(stationary force)のみを有する。ドアを閉じるための力を調節することはできない。同じタイプのフロアクローザは、異なる仕様のガラスドアに適用することができない。選択を行わなければならないので、顧客にとって問題である。
【０００４】
従って、本発明の発明者は、長年にわたる実際の経験に基づき、これらの問題の解決に専念してきた。
【発明の概要】
【発明が解決しようとする課題】
【０００５】
本発明の主な目的は、ドアを閉じるための力を調節することができるフロアクローザを提供することである。
【課題を解決するための手段】
【０００６】
前述の目的を達成するため、本発明のフロアクローザは、本体、ピストン、弾性部材、力調節アセンブリ、エンドキャップ、及びテールキャップを備えている。本体は、収容キャビティ及び第１の収容穴を有する。収容キャビティは２つの開放端部を有する。第１の収容穴は収容キャビティに連通している。ピストンは収容キャビティに収容されている。弾性部材は収容キャビティに収容されている。弾性部材の一端はピストンに当接している。力調節アセンブリは、調節ナット、ベベルギア、調節軸、及び力調節ロッドを含む。調節ナット、ベベルギア、及び調節軸は、収容キャビティに収容されている。調節ナットの一端は、ピストンとは反対側の弾性部材の他端に当接している。ベベルギアは、弾性部材とは反対側の調節ナットの他端に当接している。調節軸の一端は、ベベルギア及び調節ナットに挿入されている。力調節ロッドの一端は、第１の収容穴に挿入されてベベルギアに寄りかかっている。力調節ロッドの他端は、第１の収容穴を介して本体の外へ延出している。エンドキャップ及びテールキャップは、収容キャビティの２つの開放端部をそれぞれ封止するように構成されている。弾性部材とは反対側のピストンの一端はテールキャップに当接している。調節軸の他端はエンドキャップに当接している。
【０００７】
一実施形態において、フロアクローザは更にカム軸及びローラアセンブリを備えている。本体は更に第２の収容穴を有する。ピストンの中央部には、第１の貫通孔、第２の貫通孔、及び第３の貫通孔が形成されている。第１の貫通孔は第２の貫通孔に連通している。ローラアセンブリの一端は第１の貫通孔に収容されている。ローラアセンブリの他端は第２の貫通孔に収容されている。カム軸は第３の貫通孔に挿入されている。カム軸の一端は第２の収容穴を介して本体の外へ延出している。ローラアセンブリの中央部はカム軸に当接している。
【０００８】
一実施形態において、フロアクローザは更に、カム軸の２つの端部に嵌められた第１の軸受及び第２の軸受を備えている。第１の軸受及び第２の軸受は深溝の玉軸受である。深溝の玉軸受は各々、外側の環状高さよりも高い内側の環状高さを有する。
【０００９】
一実施形態において、フロアクローザは更に安全弁を備えている。ピストンの端部には第１のピストン穴が形成されている。安全弁は、第１のピストン穴に収容され、テールキャップに寄りかかっている。
【００１０】
一実施形態において、フロアクローザは更にベースアセンブリを備えている。ベースアセンブリは、設置ベース、接続軸、及びストップカバーを備えている。設置ベースは外部の支持体に設置される。設置ベースはベース収容溝部を有する。接続軸はベース収容溝部に収容されている。ストップカバーは設置ベース上に配置されて接続軸を覆う。接続軸の中央部には角軸収容溝部が形成されている。本体の外へ延出しているカム軸の端部は、角軸収容溝部に収容されている。
【００１１】
一実施形態において、設置ベースには、複数の第１の調節穴、複数の第２の調節穴、及び複数の第３の調節穴が形成されている。複数の第１の調節穴は、接続軸の左右の調節のために複数の締結具と協働して接続軸を支持する。複数の第２の調節穴は、設置ベースの上下の調節のために複数の締結具と協働する。複数の第３の調節穴は、接続軸の前後の調節のために複数の締結具と協働して接続軸を支持する。
【００１２】
一実施形態において、設置ベース及びストップカバーは円形である。
【００１３】
一実施形態において、フロアクローザは更に、本体に配置された閉鎖ドア弁及び速度調節弁を備えている。本体には、オイル通路、第１のオイル穴、及び第２のオイル穴が形成されている。閉鎖ドア弁及び速度調節弁の第１の端部は本体の内部に位置している。閉鎖ドア弁及び速度調節弁の第２の端部は本体の外へ延出している。オイル通路、第１のオイル穴、及び速度調節弁は、第１の油圧オイル通路を形成する。オイル通路、第２のオイル穴、及び閉鎖ドア弁は、第２の油圧オイル通路を形成する。
【００１４】
一実施形態において、本体の外へ延出している閉鎖ドア弁及び速度調節弁の第２の端部は、収容キャビティの延出方向に対して垂直である。
【００１５】
一実施形態において、フロアクローザは更に、第１の外側カバー及び第２の外側カバーを備えている。第１の外側カバー及び第２の外側カバーは、本体の２つの対向側に着脱可能に配置されている。
【００１６】
力調節アセンブリによって、フロアクローザの力調節ロッドが時計方向に回された場合、力調節ロッドはベベルギアを回転させ、ベベルギアは調節軸を回転させ、次いで調節軸によって調節ナットが動いて弾性部材を圧縮し、これによってドアを閉じる力が増大する。力調節ロッドが反時計方向に回された場合、力調節ロッドはベベルギアを回転させ、ベベルギアは調節軸を回転させ、次いで調節軸によって調節ナットが動いて弾性部材を解放し、これによってドアを閉じる力が軽減する。このように、ドアを閉じる力を調節可能とすることができる。
【図面の簡単な説明】
【００１７】
【図１】本発明の一実施形態によるフロアクローザの分解図である。
【図２】図１のフロアクローザの本体の外側部分を示す分解図である。
【図３】図１のIII−III線に沿った断面図である。
【図４】図３の拡大図である。
【図５】図１のフロアクローザの設置ベース及び接続軸を示す概略図である。
【図６】使用中の図１のフロアクローザを示す概略図である。
【図７】別の角度から見た図１のフロアクローザの本体を示す断面図である。
【図８】オイル通路を示す概略図である。
【図９】オイル通路を示す概略図である。
【発明を実施するための形態】
【００１８】
これより、本発明の実施形態について添付図面を参照して一例としてのみ説明する。
【００１９】
図１及び図２を参照すると、本発明の一実施形態によるフロアクローザ２００は、本体１０、ピストン２０、弾性部材３０、力調節アセンブリ４０、エンドキャップ５０、及びテールキャップ６０を備えている。
【００２０】
本体１０は実質的に矩形である。本体１０は押し出し成型によって形成され、簡便に製造される。
【００２１】
本体１０は、収容キャビティ１２及び第１の収容穴１４を有する。収容キャビティ１２は、本体１０の一端から本体１０の他端まで長手方向に延出している。収容キャビティ１２は、本体１０の２つの端面に位置する２つの開放端部を有する。第１の収容穴１４は、本体１０の側壁に配されている。第１の収容穴１４は収容キャビティに連通する。第１の収容穴１４の延出方向は、収容キャビティ１２の延出方向に対して垂直である。本体１０は、本体１０の一端から本体１０の他端まで長手方向に延出する収容溝１６を有する。収容キャビティ１２及び収容溝１６は平行である。
【００２２】
本体１０は更に、第２の収容穴（図には示していない）を有する。第２の収容穴は、収容溝１６とは反対の本体１０の側に配されている。第２の収容穴は収容キャビティ１２に連通する。第２の収容穴の延出方向は収容キャビティ１２の延出方向に対して垂直である。第２の収容穴の延出方向は第１の収容穴１４の延出方向に対して垂直である。
【００２３】
図２及び図３を参照すると、ピストン２０は収容キャビティ１２内に収容されている。ピストン２０は実質的に円筒形である。ピストン２０は、第１のピストン壁２１、第２のピストン壁２２、第１のピストンヘッド２３、及び第２のピストンヘッド２４を備えている。第１のピストン壁２１の２つの端部は、それぞれ第１のピストンヘッド２３及び第２のピストンヘッド２４につながっている。第２のピストン壁２２の一端は第２のピストンヘッド２４につながっている。第２のピストン壁２２の他端と第１のピストンヘッド２３との間に、第１のギャップ（図で付番していない）が画定されている。第１のピストン壁２１と第２のピストン壁２２との間に、第２のギャップ（図で付番していない）が画定されている。
【００２４】
第１のピストン壁２１に、第１の貫通孔（図で付番していない）が形成されている。第２のピストン壁２２に、第２の貫通孔（図で付番していない）が形成されている。第１の貫通孔及び第２の貫通孔は同軸である。第１の貫通孔及び第２の貫通孔は、第２のギャップに面して、相互に連通している。第１のピストン壁２１には更に第３の貫通孔が形成されている。第３の貫通孔は第１のギャップに面している。
【００２５】
第１のピストンヘッド２３に、第１のピストン穴２３２が形成されている。第２のピストンヘッド２４に、第２のピストン穴（図で付番していない）が形成されている。第１のピストン穴２３２は、第１のギャップ及び第２のギャップに連通している。
【００２６】
弾性部材３０は、収容キャビティ１２内に収容されている。弾性部材３０の一端は第２のピストンヘッド２４に当接している。この実施形態では、弾性部材３０は渦巻ばねである。他の実施形態では、弾性部材３０は他の形状であり得ることは理解されよう。
【００２７】
図２及び図４を参照すると、力調節アセンブリ４０は、調節ナット４１、ベベルギア４２、調節軸４３、及び力調節ロッド４４を備えている。調節ナット４１、ベベルギア４２、及び調節軸４３は、収容キャビティ１２に収容されている。調節ナット４１の一端は、ピストン２０とは反対側の弾性部材３０の他端に当接している。ベベルギア４２は、弾性部材３０とは反対側の調節ナット４１の他端に当接している。調節軸４３の一端は、ベベルギア４２及び調節ナット４１に挿入されている。力調節ロッド４４の一端は、第１の収容穴１４に挿入されてベベルギア４２に寄りかかっている。力調節ロッド４４の他端は、第１の収容穴１４を介して本体１０の外へ延出し、本体１０の外側で、本体１０の側壁に対して垂直にすなわち収容キャビティ１２の延出方向に対して垂直に位置している。
【００２８】
エンドキャップ５０及びテールキャップ６０は、本体１０の２つの端部にそれぞれ配置されて、収容キャビティ１２の２つの開放端部を封止する。好ましくは、この封止機能を確実とするため、本発明は更に、エンドキャップ５０に嵌めたエンドキャップ封止リング５２、及びテールキャップ６０に嵌めたテールキャップ封止リング６２を備えている。
【００２９】
弾性部材３０とは反対側のピストン２０の他端は、テールキャップ６０に当接している。調節軸４３の他端はエンドキャップ５０に当接している。
【００３０】
力調節アセンブリ４０によって、フロアクローザ２００の力調節ロッド４４が時計方向に回された場合、力調節ロッド４４はベベルギア４２を回転させ、ベベルギア４２は調節軸４３を回転させ、次いで調節軸４３によって調節ナット４１が動いて弾性部材３０を圧縮し、これによってドアを閉じる力が増大する。力調節ロッド４４が反時計方向に回された場合、力調節ロッド４４はベベルギア４２を回転させ、ベベルギア４２は調節軸４３を回転させ、次いで調節軸４３によって調節ナット４１が動いて弾性部材３０を解放し、これによってドアを閉じる力が軽減する。このように、ドアを閉じる力を調節可能とし、同じタイプのフロアクローザを異なる仕様のガラスドアに適用することができる。顧客は、フロアクローザがどのタイプであるか心配しなくてもよい。
【００３１】
好ましくは、フロアクローザ２００は更に安全弁７０を備えている。安全弁７０は第１のピストン穴２３２に収容され、テールキャップ６０に寄りかかっている。
【００３２】
図２を参照すると、好ましくは、フロアクローザ２００は更に、カム軸８０、第１の軸受９０、第２の軸受１００、及びローラアセンブリ１１０を備えている。
【００３３】
カム軸８０は、第１の接続８１、カムディスク８２、第２の接続軸８３、及び角軸８４を備え、これらは直列に接続されている。この場合、カムディスク８２はインボリュートカムディスクである。図３を参照すると、カム軸８０の一部は収容キャビティ１２に収容され、カム軸８０の角軸８４は、本体１０の第２の収容穴を介して外へ延出して本体１０の外側に位置している。好ましくは、封止機能を確実とするため、フロアクローザ２００は更に封止カバー１２０を備えている。封止カバー１２０は第２の収容穴を封止するように構成されている。封止カバー１２０の中央部に貫通孔が形成されている。角軸８４は、この貫通孔を通って封止カバー１２０の外へ延出している。第１の軸受９０は第１の接続軸８１に嵌められている。第２の軸受１００は第２の接続軸８３に嵌められている。封止機能を確実とするため、第２の軸受１００及び封止カバー１２０には封止リング（図で付番していない）が設けられている。
【００３４】
好ましくは、第１の軸受９０及び第２の軸受１００は深溝の玉軸受である。深溝の玉軸受は各々、内側の環状高さが外側の環状高さよりも高い。通常の深溝の玉軸受は、内側の環状高さが外側の環状高さと等しい。
【００３５】
従来のフロアクローザは、ニードルベアリングを用いる。ニードルベアリングは、軸方向の力に耐えることができないので、下部にスペーサを配置することによってドアがカム軸８０に加える軸方向の力を支える必要がある。カム軸８０及びスペーサは、接触部が平坦であるため、回転中に大きな摩擦を発生する。これはドアの円滑な開閉に影響を及ぼす。いったんスペーサに著しい摩耗や破損が生じると、ニードルベアリングは損傷して、製品の耐用寿命が短くなる。本発明は、内側の環状高さが外側の環状高さよりも高い深溝の玉軸受を用いて軸方向の力に耐えるので、ドアによる摩擦が改善され、ドアの開閉を円滑にして製品の耐用寿命を延ばすことを可能とする。
【００３６】
ローラアセンブリ１１０の中央部は、ピストン２０の第２のギャップ内に位置している。ローラアセンブリ１１０の一端は第１の貫通孔に収容され、ローラアセンブリ１１０の他端は第２の貫通孔に収容されている。ローラアセンブリ１１０の中央部の外壁はカムディスク８２の外壁に当接している。
【００３７】
図１を参照すると、フロアクローザ２００は更にベースアセンブリ１３０を備えている。ベースアセンブリ１３０は、設置ベース１３１、接続軸１３２、及びストップカバー１３３を備えている。ベースアセンブリ１３０は更に、拡張ねじ１３４、固定ねじ１３５、第１の調節ねじ１３６、及び第２の調節ねじ１３７を備えている。
【００３８】
図５を参照すると、設置ベース１３１は円形である。設置ベース１３１の中央部はベース収容溝部（図で付番していない）を有する。接続軸１３２はベース収容溝部に収容されている。設置ベース１３１には４つの設置穴１３１１が形成されている。４つの設置穴１３１１はベース収容溝部の周りに位置している。設置ベース１３１には更に、４つの第１の調節穴１３１２、４つの第２の調節穴１３１３、及び２つの第３の調節穴１３１４が形成されている。４つの第１の調節穴１３１２及び４つの第２の調節穴１３１３は、ベース収容溝部の周りに位置している。２つの第３の調節穴１３１４は、それぞれベース収容溝部の両側に位置している。
【００３９】
接続軸１３２の中央部には、角軸収容溝部１３２１が形成されている。
【００４０】
設置ベース１３１、接続軸１３２、及びストップカバー１３３は全て、３０４型ステンレス鋼で作成されている。
【００４１】
図１及び図６を参照すると、フロアクローザ２００を設置するためには、フロア等の外部の支持体にドリルで４つの穴をあけ、これら４つの穴に４つの拡張ねじ１３４を挿入し、次いで４つの固定ねじ１３５を締めて固定することで、設置ベース１３１をフロアに設置する。
【００４２】
接続軸１３２をベース収容溝部に入れ、次いでガラスドア３００の一端を本体１０の収容溝１６に置く。収容溝１６にプレス板１４１及び２つのスペーサ１４２を置く。プレス板１４１、一方のスペーサ１４２、ガラスドア３００、及び他方のスペーサ１４２を順番に並べる。ガラスドア３００の他端をドアクリップ４００で固定する。カム軸８０の一端は封止キャップ１２０の外へ延出する。すなわち、第２の接続軸８３とは反対側のカム軸８０の角軸８４の一端を、接続軸１３２の角軸収容溝部１３２１に収容する。４つの第１の調節ねじ１３６を４つの第１の調節穴１３１２にそれぞれ挿入して固定する。４つの第２の調節ねじ１３７を４つの第２の調節穴１３１３にそれぞれ挿入して固定する。２つの第１の調節ねじ１３６を２つの第３の調節穴１３１４にそれぞれ挿入して固定する。その後、設置ベース１３１上にストップカバー１３３を配置して接続軸１３２を覆い、フロアクローザ２００の設置を完了する。
【００４３】
フロアクローザ２００を用いるために、前もってフロアにセメントボックスを埋め込んでおく必要はない。フロアクローザ２００は直接設置することができ、便利に用いられ、労働力を削減すると共に、作業の進行を速める。フロアクローザ２００はフロアばねより小さいので、使用が簡便である。ベースアセンブリ１３０を隠す必要がある場合は、ベースアセンブリ１３０を受容するための対応する収容溝部をフロアに設ければよい。セメントを埋める必要はなく、容易に機能させることができる。
【００４４】
好ましくは、設置ベース１３１及びストップカバー１３３は円形である。円形であると見た目が良く、洗浄中に洗浄器具にぶつかって損傷させることもない。
【００４５】
ベースアセンブリ１３０の接続軸１３２は設置ベース１３１のベース収容溝部に収容され、６つの第１の調節ねじ１３６が４つの第１の調節穴１３１２及び２つの第３の調節穴１３１４と協働することによって、設置ベース１３１に対する接続軸１３２の位置を調節すると共に設置ベース１３１上に接続軸１３２を固定する。この場合、４つの第１の調節穴１３１２は、第１の調節ねじ１３６のうち４つと協働して、接続軸１３２の左右の調節を行う。２つの第３の調節穴１３１４は、第１の調節ねじ１３６のうち２つと協働して、接続軸１３２の前後の調節を行う。４つの第２の調節穴１３１３は、４つの第２の調節ねじ１３７と協働して、設置ベース１３１の上下の調節を行う。
【００４６】
角軸８４の一端は接続軸１３２に収容され、接続軸１３２は設置ベース１３１のベース収容溝部に収容されるので、設置ベース１３１の上下の調節、並びに接続軸１３２の前後の調節、及び左右の調節を行うと、角軸８４の上下、前後、及び左右の調節も行われることになる。これによって、設置のずれを相殺し、設置の要求基準を下げることができるので、設置には極めて便利である。
【００４７】
第１の調節穴１３１２の数は４つに限定されず、第２の調節穴１３１３の数は４つに限定されず、第３の調節穴１３１４の数は２つに限定されないことは理解されよう。この数は、設置ベース１３１及び接続軸１３２のサイズに従って調節可能である。第１の調節穴１３１２、第２の調節穴１３１３、及び第３の調節穴１３１４と協働する締結具は、第１の調節ねじ１３６及び第２の調節ねじ１３７に限定されず、ボルト、押さえねじ等とすることも可能である。
【００４８】
好ましくは、図２を参照すると、フロアクローザ２００は更に閉鎖ドア弁１５０及び速度調節弁１６０を備えている。
【００４９】
図７を参照すると、本体１０には、オイル通路１７０、第１のオイル穴１７１、及び第２のオイル穴１７２が設けられている。閉鎖ドア弁１５０及び速度調節弁１６０の双方は、本体１０に配置されている。閉鎖ドア弁１５０及び速度調節弁１６０の第１の端部は本体１０の内部に位置し、閉鎖ドア弁１５０及び速度調節弁１６０の第２の端部は本体１０の外へ延出し、本体１０の側壁に対してすなわち収容キャビティ１２の延出方向に対して垂直である。本体１０の外へ延出している第２の端部は調節端部である。オイル通路１７０、第１のオイル穴１７１、及び速度調節弁１６０は、第１の油圧オイル通路を形成する。オイル通路１７０、第２のオイル穴１７２、及び閉鎖ドア弁１５０は、第２の油圧オイル通路を形成する。
【００５０】
図３を参照すると、ドアが開けられた場合、フロアクローザ２００のカム軸８０は固定され、他の部品はドアと共に回転する。カム軸８０が固定している場合、カムディスク８２の外壁に寄りかかっているローラアセンブリ１１０は、カムディスク８２の湾曲面上で相対的に動く。これは、カムディスク８２がインボリュートに設計されているからである。半径は徐々に大きくなるので、ローラアセンブリ１１０はカムディスク８２の軸から遠ざかる。ピストン２０が押されて弾性部材３０に近付き、弾性部材３０を圧縮して、ばねの蓄積エネルギを増大させる。弾性部材３０の後端の油圧オイルは、ピストン２０上の安全弁７０を通過し、テールキャップ６０まで流れる。ドアが閉じられると、フロアクローザ２００の弾性部材３０の蓄積エネルギは解放される。ピストン２０が弾性部材３０から離れる方向に押されるため、ローラアセンブリ１１０はインボリュートカムディスク８２上で動いてカムディスク８２の軸にゆっくり近付く、すなわち、カムディスク８２の軸を中心に回転し、これによってドアが閉まる。
【００５１】
通常のピストンタイプのフロアクローザのピストンの前端は、一方向オイル封止として剛球を用いている。ドアが強制的に閉じられた場合は、内部の部品が損傷することになる。本発明のピストン２０の前端には安全弁７０が設けられている。ドアが強制的に閉じられた場合、内部の部品を保護するように安全弁７０が圧力を解放する。これは、フロアクローザ２００の耐用寿命が延びるという利点がある。
【００５２】
ドアが通常のように閉じられた場合、安全弁７０とテールキャップ６０との間のチャンバ内のオイルは、オイル通路１７０、第１のオイル穴１７１、第２のオイル穴１７２、閉鎖ドア弁１５０、及び第２の調節弁１６０を通過し、弾性部材３０の一方側のチャンバまで流れる。ドアを閉じる速度は、第１のオイル穴１７１及び第２のオイル穴１７２を通る流量によって調節され制御される。具体的には、図８を参照すると、ドアが９０度から閉じられた場合、オイルは第１のオイル穴１７１から流入して速度調節弁１６０から流出する。速度調節弁１６０は、ドアを閉じる速度を制御するように流量を制御するように構成されている。この時、ピストン２０は第２のオイル穴１７２を閉鎖し、油圧オイルは第１の油圧オイル通路を通過する。図９を参照すると、ピストン２０が更に動いて第１のオイル穴１７１を閉鎖した場合、第２のオイル穴１７２は閉鎖されなくなる。オイルは閉鎖ドア弁１５０から流入して第２のオイル穴１７２から流出する。閉鎖ドア弁１５０は流量を制御し、油圧オイルは第２の油圧通路を流れてドアを閉じる速度を制御する。
【００５３】
本体１０の外へ延出している閉鎖ドア弁１５０及び速度調節弁１６０の部分は、本体１０の側面に位置し、本体１０の側壁に対してすなわち収容キャビティ１２の延出方向に対して垂直である。それらはドアに対して垂直に配置されるので、調節中に大きな空間を与えると共に、操作に都合がよい。
【００５４】
図１を参照すると、フロアクローザ２００は更に、第１の外側カバー１８０及び第２の外側カバー１９０を備えている。第１の外側カバー１８０及び第２の外側カバー１９０は、本体１０の両側に着脱可能に配置されている。具体的には、第１の外側カバー１８０及び第２の外側カバー１９０は、締結具によって本体１０の両側にそれぞれ着脱可能に配置されている。
【００５５】
設置の際、フロアにベースアセンブリ１３０を設置した後、ベースアセンブリ１３０に本体１０を設置し、収容溝１６にガラスドア３００を固定する。その後、本体１０の２つの対向側に第１の外側カバー１８０及び第２の外側カバー１９０をそれぞれ設置する。
【００５６】
第１の外側カバー１８０及び第２の外側カバー１９０は、フロアクローザ２００の耐用寿命を延ばすため、本体１０、ピストン２０、及び他の部品を保護するように構成されている。
【００５７】
本発明の特定の実施形態について例示の目的で詳細に記載したが、本発明の精神及び範囲から逸脱することなく様々な変更及び拡張を実施可能である。従って、本発明は添付の特許請求の範囲によって限定されるような場合を除いて限定されない。
【符号の説明】
【００５８】
２００  フロアクローザ
１０    本体
２０    ピストン
３０    弾性部材
４０    力調節アセンブリ
５０    エンドキャップ
６０    テールキャップ
８０    カム軸
９０    第１の軸受
１００  第２の軸受
１１０  ローラアセンブリ
１３０  ベースアセンブリ
１３１  設置ベース
１３２  接続軸
１３３  ストップカバー
１３６  第１の調節ねじ
１３７  第２の調節ねじ
【図１】
2015180799.tif 000003
【図２】
2015180799.tif 000004
【図３】
2015180799.tif 000005
【図４】
2015180799.tif 000006
【図５】
2015180799.tif 000007
【図６】
2015180799.tif 000008
【図７】
2015180799.tif 000009
【図８】
2015180799.tif 000010
【図９】
2015180799.tif 000011
【外国語明細書】
2015180799000001.pdf